(57)【特許請求の範囲】
【請求項１】
高さ方向に並べられた複数の釣合おもりの中の隣り合う一対の前記釣合おもりの間に設けられる取付台と、
一対の縦枠に渡って設けられ、前記取付台が設けられた一対の前記釣合おもりの間を通る縦枠用連結部材と
を備え、
前記取付台の幅方向の寸法は、一対の前記縦枠の間の寸法よりも小さいことを特徴とするエレベータ釣合おもり枠用連結部材。
【請求項２】
前記釣合おもりの奥行方向についての前記取付台の寸法は、前記奥行方向についての前記釣合おもりの寸法以下であることを特徴とする請求項１に記載のエレベータ釣合おもり枠用連結部材。
【請求項３】
前記縦枠用連結部材は、それぞれの前記縦枠に取り付けられる一対の取付部材と、それぞれの前記取付部材に着脱可能に設けられ、それぞれの前記取付部材を連結する取付部材用連結部材とを有していることを特徴とする請求項１または請求項２に記載のエレベータ釣合おもり枠用連結部材。
【請求項４】
前記取付台の側面には、前記縦枠用連結部材が挿入可能な溝が形成されていることを特徴とする請求項１から請求項３までの何れか一項に記載のエレベータ釣合おもり枠用連結部材。
【請求項５】
高さ方向に並べられた複数の釣合おもりの中の隣り合う一対の前記釣合おもりの間に設けられる取付台と、一対の縦枠に渡って設けられ、前記取付台が設けられた一対の前記釣合おもりの間を通る縦枠用連結部材とを備え、前記取付台の幅方向の寸法は、一対の前記縦枠の間の寸法よりも小さいエレベータ釣合おもり枠用連結部材をエレベータ釣合おもり装置に取り付けるエレベータ釣合おもり枠用連結部材の取付方法であって、
高さ方向に並べられた複数の前記釣合おもりの中の一部の前記釣合おもりを持ち上げる持上工程と、
前記持上工程によって隙間が形成された一対の前記釣合おもりの間に前記取付台を設置する取付台設置工程と、
前記持上工程によって隙間が形成された一対の前記釣合おもりの間を通るように前記縦枠用連結部材を一対の前記縦枠に渡って取り付ける縦枠用連結部材取付工程と
を備え、
前記取付台設置工程では、前記取付台を奥行方向に移動させながら、一対の前記釣合おもりの間に前記取付台を設置することを特徴とするエレベータ釣合おもり枠用連結部材の取付方法。
【発明の詳細な説明】
【技術分野】
【０００１】
この発明は、水平地震動によって、釣合おもり枠における一対の縦枠が互いに広がる方向にたわみ変形することを抑制するエレベータ釣合おもり枠用連結部材およびその取付方法に関する。
【背景技術】
【０００２】
一対の縦枠と、それぞれの縦枠の上端部に渡って設けられる上枠と、それぞれの縦枠の下端部に渡って設けられる下枠とを有する釣合おもり枠と、釣合おもり枠の内側に積層されて保持される釣合おもりとを備えエレベータ釣合おもり装置においては、水平地震等による水平方向の揺れによって一対の縦枠が互いに広がる方向にたわみ変形して、釣合おもりが脱落してしまうことを防止するため、たわみ量が最大となる縦枠の高さ方向中間部付近にエレベータ釣合おもり枠用連結部材を設置する必要がある。従来、エレベータ釣合おもり枠用連結部材として、一対の縦枠におけるそれぞれの高さ方向中間部に渡って設けられ、釣合おもりを囲繞する前側連結体および後側連結体を有する連結体と、連結体をそれぞれの縦枠に固定するためのボルトとを備えたエレベータ釣合おもり枠用連結部材が知られている。
【先行技術文献】
【特許文献】
【０００３】
【特許文献１】特開２００８−１４３６５５号公報
【発明の概要】
【発明が解決しようとする課題】
【０００４】
しかしながら、連結体が釣合おもりを囲繞するように配置されるので、釣合おもりとかごとの隙間および釣合おもりと昇降路壁との隙間に十分な設置スペースがない場合には、エレベータ釣合おもり枠用連結部材を取り付けることができないという問題点があった。また、釣合おもり枠の内側には、縦枠の高さ方向中間部を越えて高さ方向上部にまで釣合おもりが積層される場合が多く、連結体とかごとの隙間および連結体と昇降路壁との隙間の寸法を釣合おもりとかごとの隙間および釣合おもりと昇降路壁との隙間の寸法に維持しつつエレベータ釣合おもり枠用連結部材を設置するためには、幅の狭い釣合おもりである幅狭おもりを所定数だけ縦枠の高さ方向中間部に設置し、その幅狭おもりを囲繞するように連結体を一対の縦枠に固定する必要がある。この場合、幅狭おもりを設置するために、一部の釣合おもりを釣合おもり枠から取り外して幅狭おもりを設置し、その後、取り外した釣合おもりを釣合おもり枠に取り付ける作業が必要となるため、エレベータ釣合おもり枠連結部材の取付作業に大変な労力を要するという問題点があった。
【０００５】
この発明は、縦枠における高さ方向中間部により確実、かつ容易に取り付けることができるエレベータ釣合おもり枠用連結部材およびその取付方法を提供するものである。
【課題を解決するための手段】
【０００６】
この発明に係るエレベータ釣合おもり枠用連結部材は、高さ方向に並べられた複数の釣合おもりの中の隣り合う一対の釣合おもりの間に設けられる取付台と、一対の縦枠に渡って設けられ、取付台が設けられた一対の釣合おもりの間を通る縦枠用連結部材とを備え、前記取付台の幅方向の寸法は、一対の前記縦枠の間の寸法よりも小さい。
【発明の効果】
【０００７】
この発明に係るエレベータ釣合おもり枠用連結部材によれば、高さ方向に並べられた複数の釣合おもりの中の隣り合う一対の釣合おもりの間に設けられる取付台と、一対の縦枠に渡って設けられ、取付台が設けられた一対の釣合おもりの間を通る縦枠用連結部材とを備えているので、高さ方向に並べられた複数の釣合おもりの最上部が縦枠における高さ方向中間部よりも上方に位置する場合であっても、縦枠における上下方向中間部により確実、かつ容易に取り付けることができる。
【図面の簡単な説明】
【０００８】
【図１】この発明の実施の形態１に係るエレベータ釣合おもり枠用連結部材が取り付けられるエレベータ釣合おもり装置を示す正面図である。
【図２】図１のエレベータ釣合おもり装置にエレベータ釣合おもり枠用連結部材が取り付けられた状態を示す拡大図である。
【図３】図２のＩＩＩ−ＩＩＩ線に沿った矢視断面図である。
【図４】図２の取付台を示す斜視図である。
【図５】図２の通しボルトを示す斜視図である。
【図６】図４の取付台の変形例を示す側面図である。
【図７】図４の取付台の変形例を示す側面図である。
【図８】図２の縦枠用連結部材の変形例を示す正面図である。
【発明を実施するための形態】
【０００９】
実施の形態１．
図１はこの発明の実施の形態１に係るエレベータ釣合おもり枠用連結部材が取り付けられるエレベータ釣合おもり装置を示す正面図である。エレベータ釣合おもり装置は、一対のガイドレール１に沿って昇降する釣合おもり枠２と、釣合おもり枠２に取り付けられる複数の釣合おもり３とを備えている。釣合おもり枠２は、高さ方向に延びた一対の縦枠２１と、一対の縦枠２１の上端部を連結する上枠２２と、一対の縦枠２１の下端部を連結する下枠２３とを有している。複数の釣合おもり３は、下枠２３の上に高さ方向に並べて配置されている。
【００１０】
図２は図１のエレベータ釣合おもり装置にエレベータ釣合おもり枠用連結部材が取り付けられた状態を示す拡大図、図３は図２のＩＩＩ−ＩＩＩ線に沿った矢視断面図である。エレベータ釣合おもり枠用連結部材は、２個の取付台４と、一対の縦枠２１に渡って設けられる縦枠用連結部材５とを備えている。
【００１１】
取付台４は、高さ方向に並べられた釣合おもり３の中の隣り合う一対の釣合おもり３の間に配置されている。取付台４は、縦枠２１における上下方向中間部に隣り合うように一対の釣合おもり３の間に配置されている。
【００１２】
釣合おもり３の奥行方向についての取付台４の寸法Ａは、奥行方向についての釣合おもり３の寸法Ｂよりも小さい値となっている。この例では、釣合おもり３の奥行方向とは、釣合おもり３を上方から見た場合に、釣合おもり３の幅方向（長手方向）に対して垂直な方向である。なお、釣合おもり３の奥行方向についての取付台４の寸法Ａは、奥行方向についての釣合おもり３の寸法Ｂと等しくてもよい。
【００１３】
図４は図２の取付台４を示す斜視図である。取付台４は、鉄から構成されている。取付台４は、円柱形状に形成されている。取付台４の幅方向の寸法は、一対の縦枠２１の間の寸法よりも小さくなっている。これにより、取付台４を奥行方向に移動させながら、一対の釣合おもり３の間に取付台４を設置することができる。取付台４には、上下面に沿って延びた２本の貫通孔４１が形成されている。取付台４は、貫通孔４１の方向が釣合おもり３の幅方向と一致するように一対の釣合おもり３の間に配置される。なお、取付台４の形状は、円柱形状に限らず、例えば、直方体形状または立方体形状などであってもよい。
【００１４】
図３に示すように、縦枠用連結部材５は、２本の通しボルト５１と、それぞれの通しボルト５１の両端部に取り付けられるナット５２とを有している。縦枠２１には、通しボルト５１が挿入される貫通孔が形成されている。通しボルト５１は、両端部が一対の縦枠２１よりも幅方向外側に突出するように、一対の縦枠２１に取り付けられている。ナット５２が通しボルト５１の端部に螺着することによって、縦枠用連結部材５が一対の縦枠２１に固定される。
【００１５】
図５は図２の通しボルト５１を示す斜視図である。通しボルト５１の両端部には、ナット５２に螺着されるためのねじ溝５１１が形成されている。
【００１６】
図３に示すように、それぞれの通しボルト５１は、取付台４の貫通孔４１に挿入されている。これにより、取付台４がエレベータ釣合おもり装置から外れてしまうことを防止することができる。
【００１７】
次に、エレベータ釣合おもり装置にエレベータ釣合おもり枠用連結部材を取り付ける取付方法について説明する。まず、高さ方向に並べられた複数の釣合おもり３の中の一部の釣合おもり３を持ち上げる（持上工程）。具体的には、先端部がくさび形となった油圧ジャッキを一対の釣合おもり３の間に挿入し、油圧ジャッキを駆動させることによって、一部の釣合おもり３を持ち上げる。
【００１８】
持上工程の後、持上工程によって隙間Ｃ（図２）が形成された一対の釣合おもり３の間に２個の取付台４を設置する（取付台設置工程）。このとき、貫通孔４１の方向と釣合おもり３の幅方向とを一致させる。
【００１９】
取付台設置工程の後、持上工程によって隙間Ｃが形成された一対の釣合おもり３の間を通るように縦枠用連結部材５を一対の縦枠２１に渡って取り付ける（縦枠用連結部材取付工程）。このとき、貫通孔４１に通しボルト５１を挿入する。通しボルト５１が挿入される貫通孔が縦枠２１に形成されていない場合には、縦枠２１に貫通孔を形成して、縦枠用連結部材５を一対の縦枠２１に渡って取り付ける。以上により、エレベータ釣合おもり枠用連結部材の取付方法が終了する。
【００２０】
以上説明したように、この発明の実施の形態１に係るエレベータ釣合おもり枠用連結部材によれば、高さ方向に並べられた複数の釣合おもり３の中の隣り合う一対の釣合おもり３の間に設けられる取付台４と、一対の縦枠２１に渡って設けられ、取付台４が設けられた一対の釣合おもり３の間を通る縦枠用連結部材５とを備えているので、高さ方向に並べられた複数の釣合おもり３の最上部が縦枠２１における高さ方向中間部よりも上方に位置する場合であっても、縦枠２１における上下方向中間部により確実、かつ容易に取り付けることができる。
【００２１】
また、釣合おもり３の奥行方向についての取付台４の寸法は、奥行方向についての釣合おもり３の寸法よりも小さいので、エレベータ釣合おもり装置の奥行方向外側に昇降路の壁などの部材が配置されている場合であっても、釣合おもり３がその部材に接触することを防止することができる。
【００２２】
また、この発明の実施の形態１に係るエレベータ釣合おもり枠用連結部材の取付方法によれば、高さ方向に並べられた複数の釣合おもり３の中の一部の釣合おもり３を持ち上げる持上工程と、持上工程によって隙間Ｃが形成された一対の釣合おもり３の間に取付台４を設置する取付台設置工程と、持上工程によって隙間Ｃが形成された一対の釣合おもり３の間を通るように縦枠用連結部材５を一対の縦枠２１に渡って取り付ける縦枠用連結部材取付工程とを備えているので、高さ方向に並べられた釣合おもり３の最上部が縦枠２１における高さ方向中間部よりも上方に位置する場合であっても、縦枠２１における上下方向中間部により確実、かつ容易に取り付けることができる。
【００２３】
なお、上記実施の形態１では、先端部がくさび形となった油圧ジャッキを一対の釣合おもり３の間に挿入し、油圧ジャッキを駆動させることによって、一部の釣合おもり３を持ち上げる持上工程について説明したが、これに限らず、例えば、一対の釣合おもり３のそれぞれにアンカーボルトを取り付けて、それぞれのアンカーボルトの間を油圧ジャッキを用いて広げることによって、一部の釣合おもり３を持ち上げてもよく、また、一部の釣合おもり３とガイドレール１とを固定した状態で、釣合おもり枠２を下降させることによって、一部の釣合おもり３を持ち上げてもよい。
【００２４】
また、上記実施の形態１では、貫通孔４１が形成された取付台４の構成について説明したが、図６に示すように、２つの取付台片４２に分割された取付台４であってもよい。それぞれの取付台片４２には、溝４３が形成されており、それぞれの取付台片４２が重ねられることによって、通しボルト５１が挿入される貫通孔４１が取付台４に形成される。また、図７に示すように、側面に溝４３が形成された取付台４であってもよい。これらの場合、取付台設置工程を縦枠用連結部材取付工程の後に行うことができる。
【００２５】
また、上記実施の形態１では、通しボルト５１と、通しボルト５１の両端部に取り付けられるナット５２とを有した縦枠用連結部材５の構成について説明したが、図８に示すように、それぞれの縦枠２１（図３）に取り付けられる一対の連結ボルト（取付部材）５３と、それぞれの連結ボルト５３に着脱可能に設けられ、それぞれの連結ボルト５３を連結する連結ボルト用連結部材（取付部材用連結部材）５４と、連結ボルト５３に取り付けられるナット５２（図３）を有した縦枠用連結部材５の構成であってもよい。連結ボルト用連結部材５４としては、例えば、それぞれの連結ボルト５３に渡って設けられるワイヤ５４１と、このワイヤ５４１の両端部が折り曲げられた状態を維持するバインド５４２とから構成される。連結ボルト５３には、ワイヤ５４１が挿入されるワイヤ挿入孔５３１が形成されている。この場合、連結ボルト５３を縦枠２１に幅方向内側から取り付けることができる。その結果、縦枠２１の幅方向外側における空間が小さい場合であっても、エレベータ釣合おもり枠用連結部材をエレベータ釣合おもり装置に容易に取り付けることができる。
【符号の説明】
【００２６】
１  ガイドレール、２  釣合おもり枠、３  釣合おもり、４  取付台、５  縦枠用連結部材、２１  縦枠、２２  上枠、２３  下枠、４１  貫通孔、４２  取付台片、４３  溝、５１  通しボルト、５２  ナット、５３  連結ボルト（取付部材）、５４  連結ボルト用連結部材（取付部材用連結部材）、５１１  ねじ溝、５３１  ワイヤ挿入孔、５４１  ワイヤ、５４２  バインド。
【図１】
0006016741.tif 000002
【図２】
0006016741.tif 000003
【図３】
0006016741.tif 000004
【図４】
0006016741.tif 000005
【図５】
0006016741.tif 000006
【図６】
0006016741.tif 000007
【図７】
0006016741.tif 000008
【図８】
0006016741.tif 000009